(57)【要約】【課題】ＧＰＳアンテナ内蔵の情報処理装置において、調整機構を不要とする情報処理装置としての使い勝手の改善とＧＰＳアンテナの受信性能を確保することの両立を目的とする。【解決手段】携帯用パソコンの本体筐体３に金属プレート２を取り付け、金属プレート２上にＧＰＳアンテナである誘電体セラミックアンテナ１を取り付けるとともに、誘電体セラミックアンテナ１の電極方向を金属プレート２取り付け面と反対方向とし、ＧＰＳアンテナを内蔵したとき、アンテナの電極方向を必ずしも天面方向に向けなくても受信性能が確保できるよう構成したものである。【選択図】  図３
2005005760.tif 000002
【特許請求の範囲】
【請求項１】
情報処理装置の本体部と、前記本体部に取り付けられた金属プレーンと、前記金属プレーン上に配置されるＧＰＳアンテナとを備え、前記ＧＰＳアンテナは電極方向を前記金属プレーン取り付け面と反対方向とすることを特徴とするＧＰＳアンテナ内蔵情報処理装置。
【請求項２】
金属筐体を有する本体部と、前記本体部の表面に配置されるＧＰＳアンテナとを備え、前記ＧＰＳアンテナは電極方向を前記金属筐体取り付け面と反対方向とすることを特徴とするＧＰＳアンテナ内蔵情報処理装置。
【請求項３】
本体部と、前記本体部に開閉可能に取り付けられた表示部とを備え、ＧＰＳアンテナが前記本体部側面に配置されることを特徴とする請求項１または請求項２記載のＧＰＳアンテナ内蔵情報処理装置。
【請求項４】
ＧＰＳアンテナは誘電体セラミックアンテナであることを特徴とする請求項１または請求項２または請求項３記載のＧＰＳアンテナ内蔵情報処理装置。
【発明の詳細な説明】
【０００１】
【発明の属する技術分野】
本発明はＧＰＳアンテナを内蔵するノートパソコンなどの情報処理装置に関する。
【０００２】
【従来の技術】
近年、ノートパソコンなどの情報処理装置に衛星からの電波を受信して現在位置の確認を行うＧＰＳ（無線測位システム）を搭載することにより、種々の応用が考えられている。この場合、情報処理装置にＧＰＳアンテナを取り付ける必要がある。一般的なＧＰＳアンテナは、受信感度の最適化のために、水平面を基準に設置されるが、携帯型のノートパソコンなどに取り付ける場合には、ＧＰＳアンテナは、常に水平面に対する位置調整が必要となる（例えば特許文献１参照）。
【０００３】
図５は単独のＧＰＳアンテナを示す斜視図、図６は、そのアンテナのＸ−Ｚ方向の利得パターンである。一般的にＧＰＳアンテナは、天空の衛星を捕捉するのを有利にするため、図６のように天面（Ｚ軸のプラス方向）方向において利得が大きく、逆方向（Ｚ軸のマイナス方向）は利得が小さい。そのため、図５のような向きで使用するのが通例である。
【０００４】
図７は従来のＧＰＳアンテナを取り付けた情報処理装置を示す斜視図である。図において、１０は携帯用パソコン、１１はキーボード、１２は展開状態の画面パネル、１３はＰＣＭＣＩＡカードの挿入口である。２０はＧＰＳアンテナ、２１はアンテナケーブル、２２は受信信号の復調等を行う受信信号処理回路を有するＰＣＭＣＩＡカードである。ケーブル２１はアンテナ２０とカード２２の間を接続し、カード２２はＧＰＳアンテナ２０使用時に挿入口１３に挿入される。３０はＧＰＳアンテナ取付機構で、３１はパソコン１０の画面パネル１２の上端を挟持するクリップ、３２はクリップ３１で一端側が支持される軸体、３３は軸体３２の他端側に固定された平板状のベースである。
【０００５】
使用時には、ベース３３を軸体３２を中心に回転して水平に調整し、このベース３３上にＧＰＳアンテナ２０を載置する。
【０００６】
このように、ベース３３が軸体３２を中心に回転できる構造であると、パソコン１０の画面パネル１２の展開角度に併せてベース３３を水平に保つことができる。
【０００７】
【特許文献１】
特開平１１−０７４７１２号公報
【０００８】
【発明が解決しようとする課題】
このような、従来のＧＰＳアンテナを備えた情報処理装置においては、情報処理装置としての使い勝手とＧＰＳアンテナの受信性能の両立が要求されている。すなわち上記のような携帯用パソコンの場合、キーボード１１上やキーボード１１手前のパームレスト上には携帯用パソコンの操作性が悪くなるためＧＰＳアンテナを配置できず、画面パネル１２も開閉するためＧＰＳアンテナの電極方向は一定にはならない。上記従来のＧＰＳアンテナを備えた情報処理装置はそのような問題を解決するものであるが、反面、使用時にはその都度、ＧＰＳアンテナ２０を載置したベース３３を軸体３２を中心に回転して水平に調整する必要があった。また、そのために調整機構が必要となったり、アンテナが情報処理装置より大きく突出するために携帯時や使用時の障害となっていた。
【０００９】
また、情報処理装置は不要輻射対策のため筐体がシールドされており、アンテナを内部に設けることは困難であった。特に、ＧＰＳアンテナは衛星からの微弱な電波を受信するため、高い受信感度が要求されており、誘電体のセラミックアンテナが使用されることが多いが、セラミックアンテナは帯域が狭く、電極方向を必ず天面方向に向ける必要があり、さらに、情報処理装置に内蔵した場合の性能劣化が著しい。
【００１０】
本発明は、このようなＧＰＳアンテナ内蔵の情報処理装置において、調整機構を不要とする情報処理装置としての使い勝手の改善とＧＰＳアンテナの受信性能を確保することの両立を目的とする。
【００１１】
【課題を解決するための手段】
この課題を解決するために本発明は、情報処理装置の本体部に金属プレーンを取り付け、金属プレーン上にＧＰＳアンテナを取り付けるとともに、ＧＰＳアンテナの電極方向を金属プレーン取り付け面と反対方向としたものである。
【００１２】
これにより、ＧＰＳアンテナの電極方向を必ずしも天面方向に向けなくても性能が確保でき、情報処理装置としての使い勝手の改善とＧＰＳアンテナの受信性能を確保することの両立が得られる。
【００１３】
【発明の実施の形態】
本発明の請求項１に記載の発明は、情報処理装置の本体部と、前記本体部に取り付けられた金属プレーンと、前記金属プレーン上に配置されるＧＰＳアンテナとを備え、前記ＧＰＳアンテナは電極方向を前記金属プレーン取り付け面と反対方向とすることを特徴とするＧＰＳアンテナ内蔵情報処理装置を実現したものであり、ＧＰＳアンテナを天面方向に向けなくても性能が確保できるという作用を有する。
【００１４】
請求項２に記載の発明は、金属筐体を有する本体部と、前記本体部の表面に配置されるＧＰＳアンテナとを備え、前記ＧＰＳアンテナは電極方向を前記金属筐体取り付け面と反対方向とすることを特徴とするＧＰＳアンテナ内蔵情報処理装置としたものであり、情報処理装置の金属筐体を利用することにより、ＧＰＳアンテナを天面方向に向けなくても性能が確保できるという作用を有する。
【００１５】
請求項３に記載の発明は、請求項１または請求項２記載のＧＰＳアンテナ内蔵情報処理装置において、本体部と、前記本体部に開閉可能に取付けられた表示部とを備え、ＧＰＳアンテナが前記本体部側面に配置されることを特徴とするもので、ＧＰＳアンテナを回動する表示部ではなく動かない本体部で、かつ側面部に設けるため、操作に邪魔にならず性能が安定するという作用を有する。
【００１６】
請求項４に記載の発明は、請求項１または請求項２または請求項３記載のＧＰＳアンテナ内蔵情報処理装置において、ＧＰＳアンテナは誘電体セラミックアンテナであることを特徴とするもので、ＧＰＳ衛星からの微弱な電波を受信するため、高い受信性能を確保することができるという作用を有する。
【００１７】
以下、本発明の実施の形態について、図１から図４を用いて説明する。
【００１８】
（実施の形態１）
図１は誘電体セラミックアンテナとその下部に近接して金属プレートを敷いた斜視図を示し、図２は、図１の状態でのＸ−Ｚ方向の利得パターンを示す、図３は情報処理装置である携帯用パソコンを示す斜視図、図４は図３の状態でのＸ−Ｚ方向の利得パターンである。図において、１は誘電体セラミックアンテナで、ＧＰＳ衛星からの微弱な電波に対し、高い受信性能を有している。２は金属プレート、３は携帯用パソコンの本体筐体、４は本体筐体３に開閉可能に取り付けられた表示部である。
【００１９】
図１の状態のとき、金属プレート２が地板としての働きをすることにより図２に示すようにＺ軸のマイナス方向で利得が大きくなり、Ｚ軸方向は充分な利得を確保できる。この理由は、金属プレート２がアンテナの一部になり、導電率が高いほど表面を電流が流れやすくなる（表皮効果）ためと考えられる。したがって、金属プレート２の材料は銅板やアルミ板が好ましいが、導電性の金属材料であれば効果が認められる。このため、図３のように、携帯用パソコンの本体筐体３の側面に、Ｚ軸に対し９０°回転させて取り付けた場合も、図４に示すようにＸ軸方向は充分な利得を確保できる。
【００２０】
つまり、誘電体セラミックアンテナの電極面が天面を向いていなくても電極面方向（Ｘ軸方向）の利得は充分高い。よって受信性能は確保できる。
【００２１】
また、ＧＰＳアンテナを、回動する表示部ではなく動かない本体部に、かつ側面部に設けるため、操作に邪魔にならず性能が安定する。
【００２２】
このようにして携帯用パソコンにＧＰＳアンテナを内蔵したとき、携帯用パソコンとしての使い勝手を損なうことなくＧＰＳアンテナの方向を必ずしも天面方向に向けなくても性能が確保できる携帯用パソコンを実現することが可能である。
【００２３】
なお、本実施の形態では、金属プレートを介してＧＰＳアンテナを本体筐体に取り付けたが、本体筐体を金属筐体とすれば金属プレートがなくても同等の性能を確保することができる。
【００２４】
また、以上の説明では、携帯用パソコンの側面にＧＰＳアンテナを配置した例の説明をしたが、その他本体筐体背面や表示部側側面についても同様に実施可能である。
【００２５】
【発明の効果】
以上のように本発明によれば、ＧＰＳアンテナの電極方向を必ずしも天面方向に向けなくても性能が確保できるため、情報処理装置の操作性を損なわず、ＧＰＳアンテナを容易に配置でき、また良好な受信性能を確保できるという有利な効果が得られる。
【図面の簡単な説明】
【図１】本発明の実施の形態における誘電体セラミックアンテナとその下部に近接して金属プレートを敷いた斜視図
【図２】図１の配置におけるＸ−Ｚ方向の利得パターンを示す図
【図３】本発明の実施の形態における携帯用パソコンを示す斜視図
【図４】図３の配置におけるＸ−Ｚ方向の利得パターンを示す図
【図５】単独のＧＰＳアンテナを示す斜視図
【図６】単独のＧＰＳアンテナのＸ−Ｚ方向の利得パターンを示す図
【図７】従来のＧＰＳアンテナを取り付けた情報処理装置を示す斜視図
【符号の説明】
１  誘電体セラミックアンテナ
２  金属プレート
３  本体筐体
４  表示部
【図１】
2005005760.tif 000003
【図２】
2005005760.tif 000004
【図３】
2005005760.tif 000005
【図４】
2005005760.tif 000006
【図５】
2005005760.tif 000007
【図６】
2005005760.tif 000008
【図７】
2005005760.tif 000009